(57)【要約】  物体側に凹面を向けるように像面（Ｉ）が湾曲した撮像レンズ（ＰＬ）であって、光軸（Ａｘ）に沿って物体側から順に並んだ、４枚のレンズ（Ｌ１〜Ｌ４）を有する前群（Ｇａ）と、１枚のレンズ（Ｌ５）を有する後群（Ｇｂ）とからなり、以下の条件式を満足している。  ０．２５＜Ｄａｂ／ＴＬ＜０．５０  ０．３０＜Ｌａ／ＴＬ＜０．５５  但し、  Ｄａｂ：前群（Ｇａ）と後群（Ｇｂ）との間の光軸上の空気間隔、  Ｌａ：前群（Ｇａ）の光軸上の長さ、  ＴＬ：撮像レンズ（ＰＬ）の全長（最も物体側のレンズ面の頂点から無限遠物体に対する軸上像点までの距離）。
2016178260.tif 000002
【特許請求の範囲】
【請求項１】
物体側に凹面を向けるように像面が湾曲した撮像レンズであって、
光軸に沿って物体側から順に並んだ、４枚のレンズを有する前群と、１枚のレンズを有する後群とからなり、
以下の条件式を満足することを特徴とする撮像レンズ。
０．２５＜Ｄａｂ／ＴＬ＜０．５０
０．３０＜Ｌａ／ＴＬ＜０．５５
但し、
Ｄａｂ：前記前群と前記後群との間の光軸上の空気間隔、
Ｌａ：前記前群の光軸上の長さ、
ＴＬ：前記撮像レンズの全長（最も物体側のレンズ面の頂点から無限遠物体に対する軸上像点までの距離）。
【請求項２】
以下の条件式を満足することを特徴とする請求項１に記載の撮像レンズ。
０．８５＜ｆａ／ｆ＜１．１０
但し、
ｆａ：前記前群の焦点距離、
ｆ：前記撮像レンズの焦点距離。
【請求項３】
前記前群は、光軸に沿って物体側から順に並んだ、正または負の屈折力を有する第１レンズと、正の屈折力を有する第２レンズと、負の屈折力を有する第３レンズと、正の屈折力を有する第４レンズとからなり、
前記後群は、負の屈折力を有する第５レンズからなることを特徴とする請求項１または２に記載の撮像レンズ。
【請求項４】
以下の条件式を満足することを特徴とする請求項３に記載の撮像レンズ。
０．７＜ｆ12／ｆａ＜１．９
但し、
ｆ12：前記第１レンズと前記第２レンズとの合成焦点距離、
ｆａ：前記前群の焦点距離。
【請求項５】
以下の条件式を満足することを特徴とする請求項３または４に記載の撮像レンズ。
−０．５＜ψ34／ψ＜０．５
但し、
ψ34：前記第３レンズと前記第４レンズとの合成屈折力、
ψ：前記撮像レンズの屈折力。
【請求項６】
以下の条件式を満足することを特徴とする請求項３から５のいずれか一項に記載の撮像レンズ。
−０．８＜ψ34／ψ5＜１．５
但し、
ψ34：前記第３レンズと前記第４レンズとの合成屈折力、
ψ5：前記第５レンズの屈折力。
【請求項７】
以下の条件式を満足することを特徴とする請求項１から６のいずれか一項に記載の撮像レンズ。
０．０３＜−ＳＡＧ／Ｙ＜０．３０
但し、
Ｙ：前記撮影レンズの最大像高、
ＳＡＧ：最大像高における前記像面の光軸方向湾曲量。
【請求項８】
前記前群の４枚のレンズおよび前記後群の１枚のレンズの中に、以下の条件式を満足する正レンズおよび前記正レンズの像側に並んで配置された負レンズの組が含まれることを特徴とする請求項１から７のいずれか一項に記載の撮像レンズ。
−１．０＜（Ｒｐａ＋Ｒｐｂ）／（Ｒｐａ−Ｒｐｂ）＜０．５
（Ｒｎａ＋Ｒｎｂ）／（Ｒｎａ−Ｒｎｂ）＜０．１
但し、
Ｒｐａ：前記正レンズにおける物体側のレンズ面の曲率半径、
Ｒｐｂ：前記正レンズにおける像側のレンズ面の曲率半径、
Ｒｎａ：前記負レンズにおける物体側のレンズ面の曲率半径、
Ｒｎｂ：前記負レンズにおける像側のレンズ面の曲率半径。
【請求項９】
物体の像を撮像面上に結像させる撮像レンズと、
前記撮像面上に結像した前記物体の像を撮像する撮像素子とを備え、
物体側に凹面を向けるように前記撮像面が湾曲し、前記撮像レンズの像面が前記撮像面に沿って湾曲して形成される撮像装置であって、
前記撮像レンズが請求項１から８のいずれか一項に記載の撮像レンズであることを特徴とする撮像装置。
【発明の詳細な説明】
【技術分野】
【０００１】
本発明は、携帯端末等に搭載される撮像装置に好適な撮影レンズに関する。
【背景技術】
【０００２】
携帯端末等に搭載された小型の撮像装置に用いられる撮像レンズ（例えば、特許文献１および特許文献２を参照）には、撮像素子の画素の微細化に伴って、像面上で１〜２μｍ程度の高い解像力が要求される。また、このような撮像レンズには、携帯端末等の薄型化に伴って、撮像レンズの全長を短くすることも要求される。撮像レンズの解像力を高めるには、レンズ面を非球面にする方法が考えられる。ところが、小型の撮像装置に用いられる従来の撮像レンズでは、殆どのレンズ面が非球面である。また、撮像レンズの解像力を高めるには、レンズの枚数を増やす方法も考えられる。しかしながら、レンズの枚数を増やすと、レンズを挿入するための空間が必要になり、撮像レンズの全長が長くなる。
【先行技術文献】
【特許文献】
【０００３】
【特許文献１】国際公開第２０１３／０２７６４１号パンフレット
【特許文献２】特開２０１５−２２１５２号公報
【発明の概要】
【発明が解決しようとする課題】
【０００４】
このように、従来の撮像レンズでは、撮像レンズの全長を短くして結像性能を高めるための方策が求められている。【０００５】
本発明は、このような問題に鑑みてなされたものであり、全長が短くて良好な結像性能を有した撮像レンズおよび、これを用いた撮像装置を提供することを目的とする。
【課題を解決するための手段】
【０００６】
このような目的達成のため、本発明に係る撮像レンズは、物体側に凹面を向けるように像面が湾曲した撮像レンズであって、光軸に沿って物体側から順に並んだ、４枚のレンズを有する前群と、１枚のレンズを有する後群とからなり、以下の条件式を満足している。【０００７】
０．２５＜Ｄａｂ／ＴＬ＜０．５０
０．３０＜Ｌａ／ＴＬ＜０．５５
但し、
Ｄａｂ：前記前群と前記後群との間の光軸上の空気間隔、
Ｌａ：前記前群の光軸上の長さ、
ＴＬ：前記撮像レンズの全長（最も物体側のレンズ面の頂点から無限遠物体に対する軸上像点までの距離）。【０００８】
また、本発明に係る撮像装置は、物体の像を撮像面上に結像させる撮像レンズと、前記撮像面上に結像した前記物体の像を撮像する撮像素子とを備え、物体側に凹面を向けるように前記撮像面が湾曲し、前記撮像レンズの像面が前記撮像面に沿って湾曲して形成される撮像装置であって、前記撮像レンズとして上述の撮像レンズを用いている。
【発明の効果】
【０００９】
本発明によれば、撮像レンズの全長が短く小型でありながら、広画角で明るく良好な結像性能を得ることができる。
【図面の簡単な説明】
【００１０】
【図１】第１実施例に係る撮像レンズのレンズ構成図である。
【図２】第１実施例に係る撮像レンズの諸収差図である。
【図３】第２実施例に係る撮像レンズのレンズ構成図である。
【図４】第２実施例に係る撮像レンズの諸収差図である。
【図５】第３実施例に係る撮像レンズのレンズ構成図である。
【図６】第３実施例に係る撮像レンズの諸収差図である。
【図７】第４実施例に係る撮像レンズのレンズ構成図である。
【図８】第４実施例に係る撮像レンズの諸収差図である。
【図９】第５実施例に係る撮像レンズのレンズ構成図である。
【図１０】第５実施例に係る撮像レンズの諸収差図である。
【図１１】第６実施例に係る撮像レンズのレンズ構成図である。
【図１２】第６実施例に係る撮像レンズの諸収差図である。
【図１３】第７実施例に係る撮像レンズのレンズ構成図である。
【図１４】第７実施例に係る撮像レンズの諸収差図である。
【図１５】撮像装置の断面図である。
【発明を実施するための形態】
【００１１】
以下、本願の好ましい実施形態について図を参照しながら説明する。本願に係る撮像レンズを備えた撮像装置ＣＭＲが図１５に示されている。なお、図１は携帯端末等に搭載された撮像装置ＣＭＲの断面図である。撮像装置ＣＭＲは、携帯端末等の装置本体ＢＤに設けられた鏡筒部ＢＲと、鏡筒部ＢＲに収容保持された撮影レンズＰＬと、鏡筒部ＢＲ側に収容された撮像素子ＳＲと、装置本体ＢＤ側に収容された制御部ＰＵとを主体に構成される。撮影レンズＰＬは、被写体（物体）の像を撮像素子ＳＲの撮像面上に結像させる。
【００１２】
撮像素子ＳＲは、例えばＣＣＤやＣＭＯＳ等のイメージセンサーを用いて構成され、撮影レンズＰＬの像面Ｉに合わせて配置される。撮像素子ＳＲの表面には、画素（光電変換素子）が二次元的に配置された撮像面が形成される。撮像素子ＳＲの撮像面は、物体側に凹面を向けるように湾曲しており、撮影レンズＰＬの像面Ｉが撮像素子ＳＲの撮像面に沿って湾曲して形成される。例えば、撮像素子ＳＲの撮像面は、球面状の凹面や、非球面状の凹面となる。撮像素子ＳＲは、撮影レンズＰＬにより撮像面上で結像した被写体からの光を光電変換し、被写体の画像データを制御部ＰＵ等に出力する。
【００１３】
制御部ＰＵには、撮像素子ＳＲと、携帯端末等の装置本体ＢＤの外側に設けられた入出力部ＤＳと、装置本体ＢＤに収容された記憶部ＭＲとが電気的に接続される。入出力部ＤＳは、タッチパネルおよび液晶パネル等から構成され、ユーザーの操作（撮像操作等）に応じた処理を行うとともに、撮像素子ＳＲにより撮像された被写体の画像表示等を行う。記憶部ＭＲは、撮像素子ＳＲ等の作動に必要なデータや、撮像素子ＳＲにより撮像取得された被写体の画像データを記憶する。制御部ＰＵは、撮像素子ＳＲ、入出力部ＤＳ、記憶部ＭＲ等をそれぞれ制御する。また、制御部ＰＵは、撮像素子ＳＲにより撮像取得された被写体の画像データに対して種々の画像処理を行うことができる。
【００１４】
ここで、本実施形態の撮影レンズＰＬについて説明する。本実施形態の撮影レンズＰＬは、例えば図１に示すように、光軸Ａｘに沿って物体側から順に並んだ、４枚のレンズＬ１〜Ｌ４を有する前群Ｇａと、１枚のレンズＬ５を有する後群Ｇｂとからなり、物体側に凹面を向けるように像面Ｉが湾曲している。すなわち、撮影レンズＰＬの像面Ｉは、光軸Ａｘから周辺部へ向かうにつれて物体側へ大きく湾曲するようになっている。このような構成の撮影レンズＰＬにおいて、次の条件式（１）〜（２）で表される条件を満足している。
【００１５】
０．２５＜Ｄａｂ／ＴＬ＜０．５０  …（１）
０．３０＜Ｌａ／ＴＬ＜０．５５  …（２）
但し、
Ｄａｂ：前群Ｇａと後群Ｇｂとの間の光軸上の空気間隔、
Ｌａ：前群Ｇａの光軸上の長さ、
ＴＬ：撮像レンズＰＬの全長（最も物体側のレンズ面の頂点から無限遠物体に対する軸上像点までの距離）。
【００１６】
本実施形態においては、撮影レンズＰＬの像面Ｉを物体側に凹面を向けるように湾曲させることで、像面湾曲の補正の負担を軽減している。これにより、レンズの枚数を減らして撮影レンズＰＬの全長を短縮するとともに、良好な結像性能を得ることが可能になる。そして、条件式（１）〜（２）で表される条件を満足することで、撮影レンズＰＬの全長が短く小型でありながら、広画角で明るく良好な結像性能を得ることができる。
【００１７】
条件式（１）は、撮像レンズＰＬの全長ＴＬを適切に設定するための条件式である。条件式（１）の下限値を下回る条件である場合、前群Ｇａと後群Ｇｂとの間の空気間隔Ｄａｂが小さくなりすぎるため、適正な収差補正が可能な撮像レンズＰＬの全長を保つために、バックフォーカスを長くする必要がある。そのため、後群Ｇｂによる像面湾曲の補正効果が小さくなり、撮像素子ＳＲの撮像面の湾曲を大きくする必要が生じて、撮像素子ＳＲの製造コストが増加するので好ましくない。一方、条件式（１）の上限値を上回る条件である場合、前群Ｇａと後群Ｇｂとの間の空気間隔Ｄａｂが大きくなりすぎるため、撮像レンズＰＬの全長ＴＬが大きくなる傾向になり、且つ、バックフォーカスが不足するので好ましくない。
【００１８】
本実施形態の効果を良好に発揮するために、条件式（１）の下限値を０．２７にすることが望ましい。一方、本実施形態の効果を良好に発揮するために、条件式（１）の上限値を０．４１にすることが望ましい。
【００１９】
条件式（２）は、前群Ｇａの長さＬａを適切に設定するための条件式である。条件式（２）の下限値を下回る条件である場合、前群Ｇａの長さＬａが小さくなりすぎるため、前群Ｇａを構成する各レンズの中心厚やフチ厚が小さくなりすぎて、前群Ｇａを構成する各レンズの製作が困難になり好ましくない。一方、条件式（２）の上限値を上回る条件である場合、前群Ｇａの長さＬａが大きくなりすぎるため、前群Ｇａにおける像側のレンズと開口絞りＳとの間の距離が大きくなり、球面収差の補正効果が小さくなる。そのため、撮像レンズＰＬのＦナンバーを明るい値に保つことが困難になる。
【００２０】
本実施形態の効果を良好に発揮するために、条件式（２）の下限値を０．３８にすることが望ましい。一方、本実施形態の効果を良好に発揮するために、条件式（２）の上限値を０．５４以下にすることが望ましい。また、本実施形態の効果を良好に発揮するために、条件式（２）の上限値を０．５０未満にすることがより望ましい。
【００２１】
なお、前群Ｇａは、光軸Ａｘに沿って物体側から順に並んだ、正または負の屈折力を有する第１レンズＬ１と、正の屈折力を有する第２レンズＬ２と、負の屈折力を有する第３レンズＬ３と、正の屈折力を有する第４レンズＬ４とから構成される。また、後群Ｇｂは、負の屈折力を有する第５レンズＬ５から構成される。このような構成によれば、より確実に、撮影レンズＰＬの全長を短縮するとともに、良好な結像性能を得ることができる。なお、各群の具体的なレンズ構成については、以降に記載の実施例のように、前群Ｇａが４枚のレンズＬ１〜Ｌ４からなり、後群Ｇｂが１枚のレンズＬ５からなる構成に限られるものではない。例えば、前群Ｇａおよび後群Ｇｂのうち一方もしくは両方に、１枚もしくは複数枚のレンズが追加されるように構成されてもよい。
【００２２】
このような構成の撮影レンズＰＬにおいて、次の条件式（３）で表される条件を満足することが好ましい。
【００２３】
０．８５＜ｆａ／ｆ＜１．１０  …（３）
但し、
ｆａ：前群Ｇａの焦点距離、
ｆ：撮像レンズＰＬの焦点距離。
【００２４】
条件式（３）は、前群Ｇａの焦点距離ｆａを適切に設定するための条件式である。条件式（３）の下限値を下回る条件である場合、前群Ｇａの焦点距離ｆａが小さくなりすぎるため、周辺像高におけるコマ収差の補正が困難になる。さらに、所定のバックフォーカスを得るために後群Ｇｂの負の屈折力を大きくする必要があり、撮像素子ＳＲに入射する光束の入射角が大きくなりすぎて周辺部で減光が生じる。一方、条件式（３）の上限値を上回る条件である場合、前群Ｇａの焦点距離ｆａが大きくなりすぎるため、撮像レンズＰＬの全長を抑えるために後群Ｇｂの負の屈折力を小さくする必要があり、後群Ｇｂによる像面湾曲の補正効果が小さくなる。そのため、撮像素子ＳＲの撮像面の湾曲を大きくする必要が生じて、撮像素子ＳＲの製造コストが増加するので好ましくない。
【００２５】
本実施形態の効果を良好に発揮するために、条件式（３）の上限値を０．９５にすることが望ましい。
【００２６】
このような構成の撮影レンズＰＬにおいて、次の条件式（４）で表される条件を満足することが好ましい。
【００２７】
０．７＜ｆ12／ｆａ＜１．９  …（４）
但し、
ｆ12：第１レンズＬ１と第２レンズＬ２との合成焦点距離、
ｆａ：前群Ｇａの焦点距離。
【００２８】
条件式（４）は、第１レンズＬ１と第２レンズＬ２との合成焦点距離ｆ12を適切に設定するための条件式である。条件式（４）の下限値を下回る条件である場合、第１レンズＬ１と第２レンズＬ２との合成焦点距離ｆ12が小さくなりすぎるため、所定のバックフォーカスを得るために、前群Ｇａの像側を構成する第３レンズＬ３の負の屈折力を大きくする必要がある。これにより、第３レンズＬ３から出射する周辺像高の光束が大きく屈折するため、周辺像高におけるコマ収差の補正が困難になり、周辺光量が低下する。一方、条件式（４）の上限値を上回る条件である場合、第１レンズＬ１と第２レンズＬ２との合成焦点距離ｆ12が大きくなりすぎるため、撮像レンズＰＬの全長を抑えるために、像側の第３〜第５レンズＬ３〜Ｌ５の中で大きな負の屈折力を有するレンズを配置することができなくなる。そのため、像面湾曲の補正効果が小さくなり、撮像素子ＳＲの撮像面の湾曲を大きくする必要が生じて、撮像素子ＳＲの製造コストが増加するので好ましくない。
【００２９】
本実施形態の効果を良好に発揮するために、条件式（４）の下限値を０．８５にすることが望ましい。一方、本実施形態の効果を良好に発揮するために、条件式（４）の上限値を１．１５にすることが望ましい。
【００３０】
このような構成の撮影レンズＰＬにおいて、次の条件式（５）で表される条件を満足することが好ましい。
【００３１】
−０．５＜ψ34／ψ＜０．５  …（５）
但し、
ψ34：第３レンズＬ３と第４レンズＬ４との合成屈折力、
ψ：撮像レンズＰＬの屈折力。
【００３２】
条件式（５）は、第３レンズＬ３と第４レンズＬ４との合成屈折力ψ34を適切に設定するための条件式である。条件式（５）の下限値を下回る条件である場合、第３レンズＬ３と第４レンズＬ４との合成屈折力ψ34がマイナス側に大きくなりすぎると、第４レンズＬ４から出射する周辺像高の光束が大きく屈折するため、周辺像高におけるコマ収差の補正が困難になり、周辺光量が低下する。一方、条件式（５）の上限値を上回る条件である場合、第３レンズＬ３と第４レンズＬ４との合成屈折力ψ34がプラス側に大きくなりすぎると、バックフォーカスの不足を補うために後群Ｇｂを前群Ｇａに近づける必要があり、後群Ｇｂによる像面湾曲の補正効果が小さくなる。そのため、撮像素子ＳＲの撮像面の湾曲を大きくする必要が生じて、撮像素子ＳＲの製造コストが増加するので好ましくない。
【００３３】
本実施形態の効果を良好に発揮するために、条件式（５）の下限値を−０．１にすることが望ましい。一方、本実施形態の効果を良好に発揮するために、条件式（５）の上限値を０．３５にすることが望ましい。
【００３４】
このような構成の撮影レンズＰＬにおいて、次の条件式（６）で表される条件を満足することが好ましい。
【００３５】
−０．８＜ψ34／ψ5＜１．５  …（６）
但し、
ψ34：第３レンズＬ３と第４レンズＬ４との合成屈折力、
ψ5：第５レンズＬ５の屈折力。
【００３６】
条件式（６）は、第３レンズＬ３と第４レンズＬ４との合成屈折力ψ34と第５レンズＬ５の屈折力ψ5との比を、適切に設定するための条件式である。条件式（６）の下限値を下回る条件である場合、第３レンズＬ３と第４レンズＬ４との合成屈折力ψ34がプラス側に大きくなりすぎると、バックフォーカスの不足を補うために後群Ｇｂを前群Ｇａに近づける必要があり、後群Ｇｂ（第５レンズＬ５）による像面湾曲の補正効果が小さくなる。また、第５レンズＬ５の負の屈折力ψ5が小さくなりすぎると、第５レンズＬ５による像面湾曲の補正効果が小さくなる。そのため、撮像素子ＳＲの撮像面の湾曲を大きくする必要が生じて、撮像素子ＳＲの製造コストが増加するので好ましくない。一方、条件式（６）の上限値を上回る条件である場合、第３レンズＬ３と第４レンズＬ４との合成屈折力ψ34がマイナス側に大きくなりすぎると、第４レンズＬ４から出射する周辺像高の光束が大きく屈折するため、周辺像高におけるコマ収差の補正が困難になり、周辺光量が低下する。
【００３７】
本実施形態の効果を良好に発揮するために、条件式（６）の下限値を−０．４にすることが望ましい。一方、本実施形態の効果を良好に発揮するために、条件式（６）の上限値を０．２にすることが望ましい。
【００３８】
このような構成の撮影レンズＰＬにおいて、次の条件式（７）で表される条件を満足することが好ましい。
【００３９】
０．０３＜−ＳＡＧ／Ｙ＜０．３０  …（７）
但し、
Ｙ：撮影レンズＰＬの最大像高、
ＳＡＧ：最大像高における像面Ｉの光軸方向湾曲量。
【００４０】
条件式（７）は、像面Ｉの湾曲量を適切に設定するための条件式である。なお、最大像高における像面Ｉの光軸方向湾曲量ＳＡＧは、像面Ｉの光軸Ａｘと交差する位置での接平面に対する光軸方向湾曲量であり、物体側から像側に向かう方向を正とする。条件式（７）の下限値を下回る条件である場合、像面Ｉの湾曲量が小さくなりすぎるため、後群Ｇｂによる像面湾曲の補正の負担が大きくなり、後群Ｇｂのレンズ面の形状を波形にうねる形状にする必要がある。そのため、後群Ｇｂのレンズの製作が難しくなって、撮像レンズＰＬの製造コストが増加するので好ましくない。一方、条件式（７）の上限値を上回る条件である場合、像面Ｉの湾曲量が大きくなりすぎるため、撮像素子ＳＲの製作が難しくなって、撮像素子ＳＲの製造コストが増加するので好ましくない。
【００４１】
このような構成の撮影レンズＰＬにおいて、前群Ｇａの４枚のレンズおよび後群Ｇｂの１枚のレンズの中に、次の条件式（８）〜（９）を満足する正レンズおよび当該正レンズの像側に並んで配置された負レンズの組が含まれることが好ましい。
【００４２】
−１．０＜（Ｒｐａ＋Ｒｐｂ）／（Ｒｐａ−Ｒｐｂ）＜０．５  …（８）
（Ｒｎａ＋Ｒｎｂ）／（Ｒｎａ−Ｒｎｂ）＜０．１  …（９）
但し、
Ｒｐａ：正レンズにおける物体側のレンズ面の曲率半径、
Ｒｐｂ：正レンズにおける像側のレンズ面の曲率半径、
Ｒｎａ：負レンズにおける物体側のレンズ面の曲率半径、
Ｒｎｂ：負レンズにおける像側のレンズ面の曲率半径。
【００４３】
条件式（８）〜（９）は、開口絞りＳの近傍に並んで配置される正レンズと負レンズの組のレンズ形状を適切に設定するための条件式である。条件式（８）の下限値を下回る条件である場合、正レンズの形状が球面収差を良好に補正可能な形状から大きく外れるため、球面収差の補正が困難になる。条件式（８）の上限値を上回る条件である場合も、正レンズの形状が球面収差を良好に補正可能な形状から大きく外れるため、球面収差の補正が困難になる。
【００４４】
条件式（９）の上限値を上回る条件である場合、負レンズにおける像側のレンズ面の曲率半径が物体側のレンズ面の曲率半径よりも小さくなりすぎる。その結果、周辺像高の光束のうち上側光束が、当該負レンズにおいて物体側のレンズ面よりも光軸Ａｘから離れた位置を通過する像側のレンズ面で大きく屈折するため、コマ収差の補正が困難になり、周辺光量が低下する。
【００４５】
本実施形態の効果を良好に発揮するために、条件式（８）の下限値を−０．５にすることが望ましい。一方、本実施形態の効果を良好に発揮するために、条件式（８）の上限値を０．２５にすることが望ましい。また、本実施形態の効果を良好に発揮するために、条件式（９）の下限値を−３．５にすることが望ましい。
【００４６】
以上に説明したように、本実施形態によれば、全長が短く小型でありながら、広画角で明るく良好な結像性能を有した撮像レンズＰＬおよび撮像装置ＣＭＲを得ることができる。なお、上述の実施形態において、像面Ｉの形状は、後述する実施例において図示したごとく物体側に凹面を向けた湾曲形状である。湾曲形状は、球面であることが製造上からも有効であるが、球面に限られるものではなく、非球面の凹面とすることも可能である。
【実施例】
【００４７】
（第１実施例）
以下、本願の各実施例について添付図面に基づいて説明する。まず、本願の第１実施例について、図１〜図２および表１を用いて説明する。図１は、第１実施例に係る撮像レンズＰＬ（ＰＬ１）のレンズ構成図である。第１実施例に係る撮像レンズＰＬ１は、光軸Ａｘに沿って物体側から順に並んだ、４枚のレンズＬ１〜Ｌ４からなる前群Ｇａと、１枚のレンズＬ５からなる後群Ｇｂとから構成される。撮像レンズＰＬ１の像面Ｉは、物体側に凹面を向けるように球面状に湾曲している。【００４８】
前群Ｇａは、光軸Ａｘに沿って物体側から順に並んだ、負の屈折力を有する第１レンズＬ１と、正の屈折力を有する第２レンズＬ２と、負の屈折力を有する第３レンズＬ３と、正の屈折力を有する第４レンズＬ４とから構成される。第１レンズＬ１における両側のレンズ面は非球面となっている。第１レンズＬ１における像側のレンズ面の近傍には、開口絞りＳが設けられる。第２レンズＬ２における両側のレンズ面は非球面となっている。第３レンズＬ３における両側のレンズ面は非球面となっている。第４レンズＬ４における両側のレンズ面は非球面となっている。【００４９】
後群Ｇｂは、負の屈折力を有する第５レンズＬ５から構成され、前群Ｇａに対し撮像レンズＰＬ１の中で最も長い空気間隔を隔てて配置される。第５レンズＬ５における両側のレンズ面は非球面となっている。【００５０】
以下に、表１〜表７を示すが、これらは第１〜第７実施例に係る撮像レンズの諸元の値をそれぞれ掲げた表である。各表の［全体諸元］には、撮像レンズＰＬの焦点距離ｆ、ＦナンバーＦno、半画角ω、最大像高Ｙ、全長ＴＬ（最も物体側のレンズ面の頂点から無限遠物体に対する軸上像点までの距離）、最大像高における像面Ｉの光軸方向湾曲量の値をそれぞれ示す。また、［レンズ諸元］において、第１カラム（面番号）は物体側から数えた際のレンズ面の番号を、第２カラムＲはレンズ面の曲率半径を、第３カラムＤはレンズ面の光軸上の間隔を、第４カラムｎｄはｄ線（波長λ＝５８７．６ｎｍ）に対する屈折率を、第５カラムνｄはｄ線（波長λ＝５８７．６ｎｍ）に対するアッベ数をそれぞれ示している。なお、第１カラム（面番号）の右に付した*は、そのレンズ面が非球面であることを示す。また、曲率半径「∞」は平面を示し、空気の屈折率ｎｄ＝1.000000はその記載を省略している。［条件式対応値］には、各条件式の対応値を示す。【００５１】
［非球面データ］において示す非球面係数は、レンズ面頂点からの光軸方向の距離（サグ量）をＺとし、光軸Ａｘからの距離をｈとし、曲率（曲率半径の逆数）をｃとし、コーニック定数をκとし、ｎ次（ｎ＝４，６，８，１０，１２，１４）の非球面係数をＡnとしたとき、次式（Ａ）で表される。なお、各実施例において、２次の非球面係数Ａ2は０であり、記載を省略している。また、［非球面データ］において、「E-n」は「×１０-n」を示す。【００５２】
Ｚ＝（ｃ×ｈ2）／［１＋｛１−（１＋κ）×ｃ2×ｈ2｝1/2］
＋Ａ4×ｈ4＋Ａ6×ｈ6＋Ａ8×ｈ8＋Ａ10×ｈ10＋Ａ12×ｈ12＋Ａ14×ｈ14  …（Ａ）【００５３】
なお、以下の全ての諸元値において掲載されている焦点距離ｆ、曲率半径Ｒ、その他の長さの単位は一般に「mm」が使われるが、光学系は、比例拡大または比例縮小しても同等の光学性能が得られるので、これに限られるものではない。また、後述の第２〜第７実施例の諸元値においても、本実施例と同様の符号を用いる。【００５４】
下の表１に、第１実施例における各諸元を示す。なお、表１における第１面〜第１１面の曲率半径Ｒは、図１における第１面〜第１１面に付した符号Ｒ１〜Ｒ１１に対応している。また、第１実施例において、第１面〜第２面および第４面〜第１１面の各レンズ面は非球面形状に形成されている。【００５５】
（表１）
［全体諸元］
ｆ        6.511
Ｆno      2.0
ω       42.06°
Ｙ        5.6
ＴＬ      7.928
ＳＡＧ     -0.675
［レンズ諸元］
面番号        Ｒ            Ｄ          ｎｄ        νｄ
物体面        ∞            ∞
1*        6.06698      0.46046      1.63550      23.89
2*        4.29845      0.25117
3           ∞         0.10000                      （開口絞り）
4*        3.70703      0.81512      1.53460      56.27
5*       -5.38073      0.28281
6*       -5.19274      0.30000      1.63970      23.52
7*       -9.96852      0.45129
8*      -11.47009      0.43581      1.53500      55.73
9*       -5.99175      2.49001
10*      147.49381      1.07752      1.53500      55.73
11*        5.11029      1.34761
像面     -23.57183
［非球面データ］
第１面
κ=0.000000，A4= -2.298845E-02，A6= -3.806620E-03，A8=1.346565E-03
A10=-1.520254E-04，A12=1.659247E-05，A14=-1.888448E-06
第２面
κ=0.000000，A4= -1.939229E-02，A6= -6.787089E-03，A8=2.668099E-03
A10= -3.889022E-04，A12=4.754067E-05，A14=-4.958172E-06
第４面
κ=0.000000，A4=7.928330E-03，A6= -3.441098E-03，A8=5.793772E-04
A10= -1.081798E-04，A12=-2.674040E-05，A14=9.494537E-06
第５面
κ=0.000000，A4=1.649361E-03，A6=2.012966E-03，A8=-9.364378E-04
A10= 5.131411E-05，A12= 8.720129E-06，A14=2.479313E-06
第６面
κ=0.000000，A4= 6.900347E-03，A6=1.234964E-02，A8=-2.924439E-03
A10=-6.895615E-05，A12=1.795145E-04，A14=-2.635131E-05
第７面
κ=0.000000，A4=2.813963E-03，A6=1.510788E-02，A8= -2.832353E-03
A10=2.988135E-04，A12= 2.602099E-05，A14=-1.160056E-05
第８面
κ=0.000000，A4= -2.790332E-02，A6=8.110374E-03，A8= -8.567061E-05
A10= -1.496320E-04，A12= 9.785314E-05，A14=-1.266169E-05
第９面
κ=0.000000，A4=-1.825223E-02，A6=3.841026E-03，A8=-2.153898E-04
A10=1.750593E-04，A12=-3.852294E-05，A14=6.553342E-06
第１０面
κ=0.000000，A4=-2.703998E-02，A6=2.632613E-04，A8=2.771417E-04
A10=-8.978915E-05，A12=1.101376E-05，A14=-6.195389E-07
第１１面
κ=0.000000，A4=-2.001895E-02，A6=1.711622E-03，A8=-1.269262E-04
A10=6.049089E-06，A12=-1.661971E-07，A14=1.879388E-09
［条件式対応値］
条件式（１）  Ｄａｂ／ＴＬ＝0.314
条件式（２）  Ｌａ／ＴＬ＝0.391
条件式（３）  ｆａ／ｆ＝0.882
条件式（４）  ｆ12／ｆａ＝0.890
条件式（５）  ψ34／ψ＝-0.066
条件式（６）  ψ34／ψ5＝0.101
条件式（７）  −ＳＡＧ／Ｙ＝0.121
条件式（８）  （Ｒｐａ＋Ｒｐｂ）／（Ｒｐａ−Ｒｐｂ）＝-0.184
条件式（９）  （Ｒｎａ＋Ｒｎｂ）／（Ｒｎａ−Ｒｎｂ）＝-3.175【００５６】
このように本実施例では、条件式（１）〜（９）が全て満たされていることが分かる。なお、本実施例において、第２レンズＬ２および第３レンズＬ３が、正レンズおよび正レンズの像側に並んで配置された負レンズの組であり、条件式（８）〜（９）を満足している。【００５７】
図２は、第１実施例に係る撮像レンズＰＬ１の諸収差図である。なお、非点収差を示す収差図において、実線はサジタル像面を示し、破線はメリディオナル像面を示している。また、コマ収差を示す収差図において、ＲＦＨは像高比（Relative  Field  Height）を示す。以上、収差図の説明は他の実施例においても同様である。【００５８】
そして、各収差図より、第１実施例では、諸収差が良好に補正され、Ｆナンバーが２．０と明るく、半画角が４２°の広画角でありながら、優れた結像性能を有していることがわかる。その結果、第１実施例の撮像レンズＰＬ１を搭載することにより、撮像装置ＣＭＲにおいても、優れた結像性能を確保することができる。【００５９】
（第２実施例）
次に、本願の第２実施例について、図３〜図４および表２を用いて説明する。図３は、第２実施例に係る撮像レンズＰＬ（ＰＬ２）のレンズ構成図である。第２実施例に係る撮像レンズＰＬ２は、光軸Ａｘに沿って物体側から順に並んだ、４枚のレンズＬ１〜Ｌ４からなる前群Ｇａと、１枚のレンズＬ５からなる後群Ｇｂとから構成される。撮像レンズＰＬ１の像面Ｉは、物体側に凹面を向けるように球面状に湾曲している。【００６０】
前群Ｇａは、光軸Ａｘに沿って物体側から順に並んだ、正の屈折力を有する第１レンズＬ１と、正の屈折力を有する第２レンズＬ２と、負の屈折力を有する第３レンズＬ３と、正の屈折力を有する第４レンズＬ４とから構成される。第１レンズＬ１における両側のレンズ面は非球面となっている。第１レンズＬ１における像側のレンズ面の近傍には、開口絞りＳが設けられる。第２レンズＬ２における両側のレンズ面は非球面となっている。第３レンズＬ３における両側のレンズ面は非球面となっている。第４レンズＬ４における両側のレンズ面は非球面となっている。【００６１】
後群Ｇｂは、負の屈折力を有する第５レンズＬ５から構成され、前群Ｇａに対し撮像レンズＰＬ２の中で最も長い空気間隔を隔てて配置される。第５レンズＬ５における両側のレンズ面は非球面となっている。【００６２】
下の表２に、第２実施例における各諸元を示す。なお、表２における第１面〜第１１面の曲率半径Ｒは、図３における第１面〜第１１面に付した符号Ｒ１〜Ｒ１１に対応している。また、第２実施例において、第１面〜第２面および第４面〜第１１面の各レンズ面は非球面形状に形成されている。【００６３】
（表２）
［全体諸元］
ｆ        6.012
Ｆno      2.0
ω       48.45°
Ｙ        5.6
ＴＬ      7.996
ＳＡＧ     -0.518
［レンズ諸元］
面番号        Ｒ            Ｄ          ｎｄ        νｄ
物体面        ∞            ∞
1*        3.60375      0.41564      1.53460      56.27
2*        4.16479      0.29988
3           ∞         0.34839                      （開口絞り）
4*        7.95242      0.67192      1.53460      56.27
5*       -5.98506      0.10000
6*       -9.59741      0.58668      1.63970      23.52
7*       16.63470      0.30653
8*       16.40075      1.04240      1.53500      55.73
9*       -4.83346      3.26645
10*       -3.59471      0.34000      1.53500      55.73
11*       72.67639      0.61846
像面     -30.51089
［非球面データ］
第１面
κ=0.000000，A4= -1.037941E-02，A6= -2.029760E-03，A8=-5.079460E-04
A10= 2.165557E-04，A12= 2.972083E-05，A14= -8.338239E-06
第２面
κ=0.000000，A4= -6.439805E-03，A6= -3.624172E-03，A8= 9.273464E-04
A10=1.552310E-04，A12= -7.518774E-05，A14= 4.631958E-05
第４面
κ=0.000000，A4= 5.235103E-04，A6= -1.734894E-03，A8= -2.312747E-04
A10= 3.764129E-05，A12= -9.629463E-05，A14= 2.968263E-05
第５面
κ=0.000000，A4= -1.125825E-02，A6= -5.446069E-03，A8= 9.413400E-04
A10= -1.838237E-04，A12= 2.689155E-05，A14= -5.860956E-06
第６面
κ=0.000000，A4= -2.245910E-02，A6= 2.247768E-05，A8= 3.469439E-04
A10=2.982258E-04，A12= -5.334448E-05，A14=1.373145E-06
第７面
κ=0.000000，A4= -1.661618E-02，A6=1.598011E-03，A8=1.924405E-04
A10= -2.444460E-05，A12= -1.164370E-05，A14=1.901876E-06
第８面
κ=0.000000，A4= -1.447034E-03，A6= -2.180986E-04，A8=-8.957858E-05
A10=1.426290E-05，A12= -2.246623E-06，A14= -8.594991E-07
第９面
κ=0.000000，A4= 6.374166E-03，A6= 3.236499E-04，A8=1.726880E-05
A10= -1.281063E-05，A12= -8.284675E-07，A14= -1.033536E-07
第１０面
κ=0.000000，A4= -4.676201E-03，A6= 5.279003E-04，A8= -2.660978E-05
A10= 2.724921E-06，A12=8.341161E-09，A14= -2.661733E-09
第１１面
κ=0.000000，A4= -2.689705E-03，A6=1.056793E-04，A8= -4.053882E-06
A10=1.046981E-07，A12= -1.422275E-09，A14=1.906645E-11
［条件式対応値］
条件式（１）  Ｄａｂ／ＴＬ＝0.409
条件式（２）  Ｌａ／ＴＬ＝0.472
条件式（３）  ｆａ／ｆ＝0.885
条件式（４）  ｆ12／ｆａ＝1.109
条件式（５）  ψ34／ψ＝0.305
条件式（６）  ψ34／ψ5＝-0.324
条件式（７）  −ＳＡＧ／Ｙ＝0.093
条件式（８）  （Ｒｐａ＋Ｒｐｂ）／（Ｒｐａ−Ｒｐｂ）＝0.141
条件式（９）  （Ｒｎａ＋Ｒｎｂ）／（Ｒｎａ−Ｒｎｂ）＝-0.268【００６４】
このように本実施例では、条件式（１）〜（９）が全て満たされていることが分かる。なお、本実施例において、第２レンズＬ２および第３レンズＬ３が、正レンズおよび正レンズの像側に並んで配置された負レンズの組であり、条件式（８）〜（９）を満足している。【００６５】
図４は、第２実施例に係る撮像レンズＰＬ２の諸収差図である。そして、各収差図より、第２実施例では、諸収差が良好に補正され、Ｆナンバーが２．０と明るく、半画角が４８°を超える広画角でありながら、優れた結像性能を有していることがわかる。その結果、第２実施例の撮像レンズＰＬ２を搭載することにより、撮像装置ＣＭＲにおいても、優れた結像性能を確保することができる。【００６６】
（第３実施例）
次に、本願の第３実施例について、図５〜図６および表３を用いて説明する。図５は、第３実施例に係る撮像レンズＰＬ（ＰＬ３）のレンズ構成図である。第３実施例に係る撮像レンズＰＬ３は、光軸Ａｘに沿って物体側から順に並んだ、４枚のレンズＬ１〜Ｌ４からなる前群Ｇａと、１枚のレンズＬ５からなる後群Ｇｂとから構成される。撮像レンズＰＬ１の像面Ｉは、物体側に凹面を向けるように球面状に湾曲している。【００６７】
前群Ｇａは、光軸Ａｘに沿って物体側から順に並んだ、負の屈折力を有する第１レンズＬ１と、正の屈折力を有する第２レンズＬ２と、負の屈折力を有する第３レンズＬ３と、正の屈折力を有する第４レンズＬ４とから構成される。第１レンズＬ１における両側のレンズ面は非球面となっている。第１レンズＬ１における像側のレンズ面の近傍には、開口絞りＳが設けられる。第２レンズＬ２における両側のレンズ面は非球面となっている。第３レンズＬ３における両側のレンズ面は非球面となっている。第４レンズＬ４における両側のレンズ面は非球面となっている。【００６８】
後群Ｇｂは、負の屈折力を有する第５レンズＬ５から構成され、前群Ｇａに対し撮像レンズＰＬ３の中で最も長い空気間隔を隔てて配置される。第５レンズＬ５における両側のレンズ面は非球面となっている。【００６９】
下の表３に、第３実施例における各諸元を示す。なお、表３における第１面〜第１１面の曲率半径Ｒは、図５における第１面〜第１１面に付した符号Ｒ１〜Ｒ１１に対応している。また、第３実施例において、第１面〜第２面および第４面〜第１１面の各レンズ面は非球面形状に形成されている。【００７０】
（表３）
［全体諸元］
ｆ        5.609
Ｆno      2.0
ω       51.77°
Ｙ        5.6
ＴＬ      7.808
ＳＡＧ     -1.085
［レンズ諸元］
面番号        Ｒ            Ｄ          ｎｄ        νｄ
物体面        ∞            ∞
1*        4.64441      0.54843      1.63970      23.52
2*        4.37340      0.20805
3           ∞         0.22981                      （開口絞り）
4*        5.70254      0.98719      1.53500      55.73
5*       -3.72046      0.06120
6*       -4.01508      0.32000      1.63970      23.52
7*      -11.64067      0.20147
8*      -10.52502      0.73400      1.53500      55.73
9*       -4.00660      2.93693
10*       17.17541      0.57293      1.53500      55.73
11*        5.30981      1.00789
像面     -15.00000
［非球面データ］
第１面
κ=0.000000，A4= -7.494419E-03，A6= -1.307114E-03，A8=-8.652404E-05
A10=8.857996E-05，A12= -1.779677E-05，A14= -2.461760E-07
第２面
κ=0.000000，A4= -1.908329E-03，A6= -1.745243E-03，A8= 5.830655E-04
A10=1.321530E-05，A12= -1.559836E-05，A14= 6.562138E-06
第４面
κ=0.000000，A4=1.864114E-03，A6= -7.827769E-04，A8= -3.314667E-04
A10= -7.369649E-05，A12=1.290904E-05，A14= 9.728552E-06
第５面
κ=0.000000，A4=1.625439E-03，A6= -3.054751E-03，A8=4.172513E-04
A10= -2.348160E-05，A12=4.529568E-05，A14= -5.625603E-06
第６面
κ=0.000000，A4=1.155928E-02，A6= -8.982120E-04，A8=1.680558E-04
A10= 2.658503E-04，A12=1.696269E-05，A14= -1.641346E-05
第７面
κ=0.000000，A4= 6.028520E-03，A6=1.695423E-03，A8=1.532929E-04
A10=3.348753E-05，A12= -1.183667E-05，A14= -8.878941E-07
第８面
κ=0.000000，A4= -9.769107E-03，A6=7.211092E-04，A8=1.589253E-04
A10= -1.691148E-05，A12=7.448038E-06，A14= -1.308539E-06
第９面
κ=0.000000，A4= -4.591539E-03，A6= -2.816609E-04，A8=-9.062517E-05
A10=1.811896E-05，A12=1.062153E-06，A14= -1.087231E-06
第１０面
κ=0.000000，A4= -3.095969E-02，A6= 6.790345E-04，A8= -1.107271E-04
A10=8.870684E-06，A12=1.146161E-07，A14= -1.702592E-07
第１１面
κ=0.000000，A4= -2.040695E-02，A6=1.172905E-03，A8= -3.855210E-05
A10= -2.686354E-06，A12=2.397607E-07，A14= -4.582155E-09
［条件式対応値］
条件式（１）  Ｄａｂ／ＴＬ＝0.376
条件式（２）  Ｌａ／ＴＬ＝0.421
条件式（３）  ｆａ／ｆ＝0.946
条件式（４）  ｆ12／ｆａ＝0.869
条件式（５）  ψ34／ψ＝-0.032
条件式（６）  ψ34／ψ5＝0.083
条件式（７）  −ＳＡＧ／Ｙ＝0.194
条件式（８）  （Ｒｐａ＋Ｒｐｂ）／（Ｒｐａ−Ｒｐｂ）＝0.210
条件式（９）  （Ｒｎａ＋Ｒｎｂ）／（Ｒｎａ−Ｒｎｂ）＝-2.053【００７１】
このように本実施例では、条件式（１）〜（９）が全て満たされていることが分かる。なお、本実施例において、第２レンズＬ２および第３レンズＬ３が、正レンズおよび正レンズの像側に並んで配置された負レンズの組であり、条件式（８）〜（９）を満足している。【００７２】
図６は、第３実施例に係る撮像レンズＰＬ３の諸収差図である。そして、各収差図より、第３実施例では、諸収差が良好に補正され、Ｆナンバーが２．０と明るく、半画角が５２°に近い広画角でありながら、優れた結像性能を有していることがわかる。その結果、第３実施例の撮像レンズＰＬ３を搭載することにより、撮像装置ＣＭＲにおいても、優れた結像性能を確保することができる。【００７３】
（第４実施例）
次に、本願の第４実施例について、図７〜図８および表４を用いて説明する。図７は、第４実施例に係る撮像レンズＰＬ（ＰＬ４）のレンズ構成図である。第４実施例に係る撮像レンズＰＬ４は、光軸Ａｘに沿って物体側から順に並んだ、光軸Ａｘに沿って物体側から順に並んだ、４枚のレンズＬ１〜Ｌ４からなる前群Ｇａと、１枚のレンズＬ５からなる後群Ｇｂとから構成される。撮像レンズＰＬ１の像面Ｉは、物体側に凹面を向けるように球面状に湾曲している。【００７４】
前群Ｇａは、光軸Ａｘに沿って物体側から順に並んだ、負の屈折力を有する第１レンズＬ１と、正の屈折力を有する第２レンズＬ２と、負の屈折力を有する第３レンズＬ３と、正の屈折力を有する第４レンズＬ４とから構成される。第１レンズＬ１における両側のレンズ面は非球面となっている。第１レンズＬ１における像側のレンズ面の近傍には、開口絞りＳが設けられる。第２レンズＬ２における両側のレンズ面は非球面となっている。第３レンズＬ３における両側のレンズ面は非球面となっている。第４レンズＬ４における両側のレンズ面は非球面となっている。【００７５】
後群Ｇｂは、負の屈折力を有する第５レンズＬ５から構成され、前群Ｇａに対し撮像レンズＰＬ４の中で最も長い空気間隔を隔てて配置される。第５レンズＬ５における両側のレンズ面は非球面となっている。【００７６】
下の表４に、第４実施例における各諸元を示す。なお、表４における第１面〜第１１面の曲率半径Ｒは、図７における第１面〜第１１面に付した符号Ｒ１〜Ｒ１１に対応している。また、第４実施例において、第１面〜第２面および第４面〜第１１面の各レンズ面は非球面形状に形成されている。【００７７】
（表４）
［全体諸元］
ｆ        5.507
Ｆno      2.0
ω       50.72°
Ｙ        5.6
ＴＬ      7.199
ＳＡＧ     -1.032
［レンズ諸元］
面番号        Ｒ            Ｄ          ｎｄ        νｄ
物体面        ∞            ∞
1*        7.31862      0.59501      1.63550      23.89
2*        5.17463      0.10311
3           ∞         0.10311                      （開口絞り）
4*        3.43777      0.76255      1.53460      56.27
5*       -5.29683      0.15297
6*       -4.57762      0.34000      1.63970      23.52
7*      -11.38758      0.24121
8*      -54.00985      0.65309      1.53500      55.73
9*       -6.25569      2.31395
10*       10.07800      0.60907      1.53500      55.73
11*        4.15572      1.32557
像面     -15.70715
［非球面データ］
第１面
κ=0.000000，A4= -2.387322E-02，A6= -1.436190E-03，A8=3.914271E-04
A10=8.281130E-05，A12= -2.687642E-05，A14=1.803017E-06
第２面
κ=0.000000，A4= -2.480096E-02，A6= -3.792273E-03，A8=2.131974E-03
A10= -1.220031E-06，A12= -7.149198E-05，A14= -1.633753E-08
第４面
κ=0.000000，A4=4.984983E-03，A6= -2.918541E-03，A8=3.324755E-04
A10=2.472443E-04，A12= -8.625314E-05，A14=2.745912E-05
第５面
κ=0.000000，A4= -1.854459E-04，A6= -1.471930E-03，A8=1.349892E-03
A10= -5.490379E-04，A12= 5.393806E-04，A14= -1.329893E-04
第６面
κ=0.000000，A4= -5.690548E-04，A6=1.139505E-02，A8= -2.225505E-03
A10=5.323417E-04，A12= 6.691553E-04，A14= -3.056800E-04
第７面
κ= 9.622055，A4= -2.749508E-03，A6=1.782424E-02，A8= -3.986833E-03
A10= 6.598835E-04，A12=3.369884E-04，A14= -1.259715E-04
第８面
κ=10.000000，A4= -2.509257E-02，A6= 6.964351E-03，A8=-1.464286E-03
A10= -2.175223E-04，A12=1.508318E-04，A14= 5.113899E-06
第９面
κ= 5.124974，A4= -8.729154E-03，A6=8.848192E-04，A8= -5.138604E-04
A10=2.017110E-04，A12= -7.766579E-05，A14=1.300850E-05
第１０面
κ=10.000000，A4= -3.873464E-02，A6=1.446695E-05，A8= -8.099669E-04
A10= 3.268713E-04，A12= -5.502348E-05，A14=2.336810E-06
第１１面
κ=0.000000，A4= -2.493198E-02，A6= -1.227018E-04，A8=3.551243E-04
A10= -5.015908E-05，A12=2.883691E-06，A14= -6.137989E-08
［条件式対応値］
条件式（１）  Ｄａｂ／ＴＬ＝0.321
条件式（２）  Ｌａ／ＴＬ＝0.410
条件式（３）  ｆａ／ｆ＝0.930
条件式（４）  ｆ12／ｆａ＝0.922
条件式（５）  ψ34／ψ＝0.004
条件式（６）  ψ34／ψ5＝-0.010
条件式（７）  −ＳＡＧ／Ｙ＝0.184
条件式（８）  （Ｒｐａ＋Ｒｐｂ）／（Ｒｐａ−Ｒｐｂ）＝-0.213
条件式（９）  （Ｒｎａ＋Ｒｎｂ）／（Ｒｎａ−Ｒｎｂ）＝-2.344【００７８】
このように本実施例では、条件式（１）〜（９）が全て満たされていることが分かる。なお、本実施例において、第２レンズＬ２および第３レンズＬ３が、正レンズおよび正レンズの像側に並んで配置された負レンズの組であり、条件式（８）〜（９）を満足している。【００７９】
図８は、第４実施例に係る撮像レンズＰＬ４の諸収差図である。そして、各収差図より、第４実施例では、諸収差が良好に補正され、Ｆナンバーが２．０と明るく、半画角が５０°を超える広画角でありながら、優れた結像性能を有していることがわかる。その結果、第４実施例の撮像レンズＰＬ４を搭載することにより、撮像装置ＣＭＲにおいても、優れた結像性能を確保することができる。【００８０】
（第５実施例）
次に、本願の第５実施例について、図９〜図１０および表５を用いて説明する。図９は、第５実施例に係る撮像レンズＰＬ（ＰＬ５）のレンズ構成図である。第５実施例に係る撮像レンズＰＬ５は、光軸Ａｘに沿って物体側から順に並んだ、４枚のレンズＬ１〜Ｌ４からなる前群Ｇａと、１枚のレンズＬ５からなる後群Ｇｂとから構成される。撮像レンズＰＬ１の像面Ｉは、物体側に凹面を向けるように球面状に湾曲している。【００８１】
前群Ｇａは、光軸Ａｘに沿って物体側から順に並んだ、負の屈折力を有する第１レンズＬ１と、正の屈折力を有する第２レンズＬ２と、負の屈折力を有する第３レンズＬ３と、正の屈折力を有する第４レンズＬ４とから構成される。第１レンズＬ１における両側のレンズ面は非球面となっている。第１レンズＬ１における像側のレンズ面の近傍には、開口絞りＳが設けられる。第２レンズＬ２における両側のレンズ面は非球面となっている。第３レンズＬ３における両側のレンズ面は非球面となっている。第４レンズＬ４における両側のレンズ面は非球面となっている。【００８２】
後群Ｇｂは、負の屈折力を有する第５レンズＬ５から構成され、前群Ｇａに対し撮像レンズＰＬ５の中で最も長い空気間隔を隔てて配置される。第５レンズＬ５における両側のレンズ面は非球面となっている。【００８３】
下の表５に、第５実施例における各諸元を示す。なお、表５における第１面〜第１１面の曲率半径Ｒは、図９における第１面〜第１１面に付した符号Ｒ１〜Ｒ１１に対応している。また、第５実施例において、第１面〜第２面および第４面〜第１１面の各レンズ面は非球面形状に形成されている。【００８４】
（表５）
［全体諸元］
ｆ        5.511
Ｆno      2.0
ω       48.29°
Ｙ        5.6
ＴＬ      7.553
ＳＡＧ     -0.527
［レンズ諸元］
面番号        Ｒ            Ｄ          ｎｄ        νｄ
物体面        ∞            ∞
1*        5.55000      0.44722      1.63970      23.52
2*        3.79297      0.22851
3           ∞         0.10000                      （開口絞り）
4*        3.94937      0.99167      1.53460      56.27
5*       -4.93026      0.78867
6*      -18.39046      0.44730      1.63970      23.52
7*       15.43578      0.23433
8*       -7.85805      0.84240      1.53500      55.73
9*       -2.90947      2.55908
10*       -5.74864      0.30000      1.53500      55.73
11*        8.63108      0.61442
像面     -30.00000
［非球面データ］
第１面
κ=0.000000，A4=-2.502841E-02，A6= -2.305931E-03，A8=4.719856E-04
A10=1.385292E-04，A12= -5.072484E-05，A14=2.268285E-06
第２面
κ=0.000000，A4=-2.203598E-02，A6= -4.506885E-03，A8=2.464861E-03
A10=-4.878325E-04，A12= -2.547252E-05，A14=1.843603E-05
第４面
κ=0.000000，A4=3.664588E-03，A6= -9.304148E-04，A8=-5.147925E-05
A10=2.367843E-04，A12= -1.063322E-04，A14=1.701385E-06
第５面
κ=0.000000，A4= -2.960150E-03，A6=1.179240E-03，A8=1.064309E-04
A10= -1.176477E-04，A12= 2.288920E-05，A14= -1.553675E-05
第６面
κ=0.000000，A4= -3.407862E-02，A6=4.314519E-03，A8=6.198797E-04
A10=-1.356137E-04，A12= -2.189107E-05，A14=-2.266424E-06
第７面
κ= 0.000000，A4= -2.521650E-02，A6=3.179613E-03，A8=3.041810E-04
A10= 3.557863E-05，A12=-8.924320E-06，A14= -5.785328E-08
第８面
κ=0.000000，A4=3.155335E-03，A6=-1.446064E-03，A8=2.449335E-04
A10=1.785859E-05，A12=6.689652E-06，A14= -6.916944E-07
第９面
κ= 0.000000，A4=7.942085E-03，A6=9.677184E-04，A8=4.079280E-05
A10=-1.965891E-05，A12= -1.150307E-06，A14=4.779823E-07
第１０面
κ=0.000000，A4= -1.711710E-02，A6=2.509310E-03，A8= -3.187738E-04
A10=1.866414E-05，A12= -5.543852E-07，A14=2.510314E-09
第１１面
κ=0.000000，A4=-9.501268E-03，A6= 6.346767E-04，A8=-1.982567E-05
A10= -4.529134E-07，A12=4.247630E-08，A14= -7.573327E-10
［条件式対応値］
条件式（１）  Ｄａｂ／ＴＬ＝0.339
条件式（２）  Ｌａ／ＴＬ＝0.540
条件式（３）  ｆａ／ｆ＝0.898
条件式（４）  ｆ12／ｆａ＝1.087
条件式（５）  ψ34／ψ＝0.315
条件式（６）  ψ34／ψ5＝-0.366
条件式（７）  −ＳＡＧ／Ｙ＝0.094
条件式（８）  （Ｒｐａ＋Ｒｐｂ）／（Ｒｐａ−Ｒｐｂ）＝-0.110
条件式（９）  （Ｒｎａ＋Ｒｎｂ）／（Ｒｎａ−Ｒｎｂ）＝0.087【００８５】
このように本実施例では、条件式（１）〜（９）が全て満たされていることが分かる。なお、本実施例において、第２レンズＬ２および第３レンズＬ３が、正レンズおよび正レンズの像側に並んで配置された負レンズの組であり、条件式（８）〜（９）を満足している。【００８６】
図１０は、第５実施例に係る撮像レンズＰＬ５の諸収差図である。そして、各収差図より、第５実施例では、諸収差が良好に補正され、Ｆナンバーが２．０と明るく、半画角が４８°を超える広画角でありながら、優れた結像性能を有していることがわかる。その結果、第５実施例の撮像レンズＰＬ５を搭載することにより、撮像装置ＣＭＲにおいても、優れた結像性能を確保することができる。【００８７】
（第６実施例）
次に、本願の第６実施例について、図１１〜図１２および表６を用いて説明する。図１１は、第６実施例に係る撮像レンズＰＬ（ＰＬ６）のレンズ構成図である。第６実施例に係る撮像レンズＰＬ６は、光軸Ａｘに沿って物体側から順に並んだ、４枚のレンズＬ１〜Ｌ４からなる前群Ｇａと、１枚のレンズＬ５からなる後群Ｇｂとから構成される。撮像レンズＰＬ１の像面Ｉは、物体側に凹面を向けるように球面状に湾曲している。【００８８】
前群Ｇａは、光軸Ａｘに沿って物体側から順に並んだ、負の屈折力を有する第１レンズＬ１と、正の屈折力を有する第２レンズＬ２と、負の屈折力を有する第３レンズＬ３と、正の屈折力を有する第４レンズＬ４とから構成される。第１レンズＬ１における両側のレンズ面は非球面となっている。第１レンズＬ１における像側のレンズ面の近傍には、開口絞りＳが設けられる。第２レンズＬ２における両側のレンズ面は非球面となっている。第３レンズＬ３における両側のレンズ面は非球面となっている。第４レンズＬ４における両側のレンズ面は非球面となっている。【００８９】
後群Ｇｂは、負の屈折力を有する第５レンズＬ５から構成され、前群Ｇａに対し撮像レンズＰＬ６の中で最も長い空気間隔を隔てて配置される。第５レンズＬ５における両側のレンズ面は非球面となっている。【００９０】
下の表６に、第６実施例における各諸元を示す。なお、表６における第１面〜第１１面の曲率半径Ｒは、図１１における第１面〜第１１面に付した符号Ｒ１〜Ｒ１１に対応している。また、第６実施例において、第１面〜第２面および第４面〜第１１面の各レンズ面は非球面形状に形成されている。【００９１】
（表６）
［全体諸元］
ｆ        5.514
Ｆno      2.0
ω       45.84°
Ｙ        5.6
ＴＬ      7.610
ＳＡＧ     -0.476
［レンズ諸元］
面番号        Ｒ            Ｄ          ｎｄ        νｄ
物体面        ∞            ∞
1*        6.51930      0.50000      1.63970      23.52
2*        5.40288      0.59818
3           ∞         0.20484                      （開口絞り）
4*        3.39862      0.68182      1.53460      56.27
5*       -9.13423      0.33230
6*       -7.14112      0.76767      1.63970      23.52
7*      234.84213      0.07682
8*      188.35129      0.57056      1.53500      55.73
9*       -4.15832      2.66533
10*       -3.75764      0.52546      1.53500      55.73
11*       17.20457      0.68708
像面     -33.18506
［非球面データ］
第１面
κ=0.000000，A4=-1.001359E-02，A6=4.999422E-04，A8=1.931698E-04
A10=-1.771336E-06，A12= -3.939693E-07，A14=-5.620434E-07
第２面
κ=0.000000，A4= -6.816170E-03，A6=1.384701E-03，A8=5.532027E-04
A10=1.212494E-04，A12= -6.590026E-05，A14=1.611508E-05
第４面
κ=0.000000，A4=-2.983812E-03，A6= -9.036519E-04，A8=-2.758512E-04
A10=2.254453E-04，A12=-1.761604E-04，A14=2.265022E-05
第５面
κ=0.000000，A4= -1.396007E-02，A6= -6.476255E-04，A8=5.743711E-04
A10= -1.258787E-04，A12= -5.973815E-05，A14=7.848080E-06
第６面
κ=0.000000，A4= -8.661583E-03，A6=4.786296E-03，A8=2.698705E-04
A10=-7.837131E-05，A12=-8.275450E-05，A14=2.850157E-05
第７面
κ= 0.000000，A4=-3.011969E-03，A6=4.731746E-03，A8=1.572292E-04
A10= -3.477654E-05，A12=-1.269039E-05，A14=1.623061E-06
第８面
κ=0.000000，A4= -5.902356E-03，A6=1.374161E-03，A8=1.826956E-04
A10=-6.276438E-05，A12=1.671556E-05，A14=6.729538E-07
第９面
κ= 0.000000，A4= 5.180042E-03，A6=-2.409732E-04，A8=8.262618E-05
A10=-1.840318E-05，A12= -1.505452E-06，A14=3.593073E-06
第１０面
κ=0.000000，A4= -2.048336E-02，A6=-3.781768E-04，A8=4.566026E-04
A10=-9.613474E-05，A12= 9.394189E-06，A14=-7.176287E-07
第１１面
κ=0.000000，A4= -1.052248E-02，A6=7.828745E-04，A8=-2.779803E-05
A10= -3.382540E-07，A12=5.284378E-08，A14= -1.046862E-09
［条件式対応値］
条件式（１）  Ｄａｂ／ＴＬ＝0.350
条件式（２）  Ｌａ／ＴＬ＝0.490
条件式（３）  ｆａ／ｆ＝0.855
条件式（４）  ｆ12／ｆａ＝1.105
条件式（５）  ψ34／ψ＝0.275
条件式（６）  ψ34／ψ5＝-0.285
条件式（７）  −ＳＡＧ／Ｙ＝0.085
条件式（８）  （Ｒｐａ＋Ｒｐｂ）／（Ｒｐａ−Ｒｐｂ）＝-0.458
条件式（９）  （Ｒｎａ＋Ｒｎｂ）／（Ｒｎａ−Ｒｎｂ）＝-0.941【００９２】
このように本実施例では、条件式（１）〜（９）が全て満たされていることが分かる。なお、本実施例において、第２レンズＬ２および第３レンズＬ３が、正レンズおよび正レンズの像側に並んで配置された負レンズの組であり、条件式（８）〜（９）を満足している。【００９３】
図１２は、第６実施例に係る撮像レンズＰＬ６の諸収差図である。そして、各収差図より、第６実施例では、諸収差が良好に補正され、Ｆナンバーが２．０と明るく、半画角が４５°を超える広画角でありながら、優れた結像性能を有していることがわかる。その結果、第６実施例の撮像レンズＰＬ６を搭載することにより、撮像装置ＣＭＲにおいても、優れた結像性能を確保することができる。【００９４】
（第７実施例）
次に、本願の第７実施例について、図１３〜図１４および表７を用いて説明する。図１３は、第７実施例に係る撮像レンズＰＬ（ＰＬ７）のレンズ構成図である。第７実施例に係る撮像レンズＰＬ７は、光軸Ａｘに沿って物体側から順に並んだ、４枚のレンズＬ１〜Ｌ４からなる前群Ｇａと、１枚のレンズＬ５からなる後群Ｇｂとから構成される。撮像レンズＰＬ１の像面Ｉは、物体側に凹面を向けるように球面状に湾曲している。【００９５】
前群Ｇａは、光軸Ａｘに沿って物体側から順に並んだ、負の屈折力を有する第１レンズＬ１と、正の屈折力を有する第２レンズＬ２と、負の屈折力を有する第３レンズＬ３と、正の屈折力を有する第４レンズＬ４とから構成される。第１レンズＬ１における両側のレンズ面は非球面となっている。第１レンズＬ１における像側のレンズ面の近傍には、開口絞りＳが設けられる。第２レンズＬ２における両側のレンズ面は非球面となっている。第３レンズＬ３における両側のレンズ面は非球面となっている。第４レンズＬ４における両側のレンズ面は非球面となっている。【００９６】
後群Ｇｂは、負の屈折力を有する第５レンズＬ５から構成され、前群Ｇａに対し撮像レンズＰＬ７の中で最も長い空気間隔を隔てて配置される。第５レンズＬ５における両側のレンズ面は非球面となっている。【００９７】
下の表７に、第７実施例における各諸元を示す。なお、表７における第１面〜第１１面の曲率半径Ｒは、図１３における第１面〜第１１面に付した符号Ｒ１〜Ｒ１１に対応している。また、第７実施例において、第１面〜第２面および第４面〜第１１面の各レンズ面は非球面形状に形成されている。【００９８】
（表７）
［全体諸元］
ｆ        5.512
Ｆno      2.0
ω       43.82°
Ｙ        5.6
ＴＬ      7.401
ＳＡＧ     -0.251
［レンズ諸元］
面番号        Ｒ            Ｄ          ｎｄ        νｄ
物体面        ∞            ∞
1*       33.01139      0.57861      1.63970      23.52
2*       13.83405      0.32371
3           ∞         0.10002                      （開口絞り）
4*        3.23320      0.75321      1.53460      56.27
5*       -6.36441      0.16045
6*       27.85932      0.50000      1.63970      23.52
7*        5.71468      0.45538
8*      260.47315      0.52488      1.53500      55.73
9*       -6.01846      2.04696
10*       -8.10042      1.35412      1.53500      55.73
11*        5.31469      0.60380
像面     -62.47471
［非球面データ］
第１面
κ=0.000000，A4=-1.883450E-02，A6=7.137414E-04，A8=7.225372E-05
A10=1.926184E-05，A12=-2.055988E-06，A14=-2.561793E-07
第２面
κ=0.000000，A4= -1.465572E-02，A6=2.160557E-04，A8=2.087663E-04
A10=1.763118E-05，A12=-3.023191E-06，A14= -5.430090E-07
第４面
κ=0.000000，A4=8.993747E-03，A6= -3.497801E-04，A8=-9.896817E-05
A10=5.005174E-05，A12=2.136173E-05，A14=-1.394857E-05
第５面
κ=0.000000，A4=1.018827E-02，A6=-9.869783E-04，A8=-2.634481E-04
A10=2.822208E-05，A12=2.478811E-05，A14= -8.818013E-06
第６面
κ=0.000000，A4=-1.051070E-02，A6=2.052148E-03，A8= -3.754909E-04
A10=-5.765704E-05，A12= 5.511299E-05，A14= -6.451139E-09
第７面
κ=0.000000，A4=-6.081273E-03，A6=3.996498E-03，A8=7.742946E-04
A10=-1.281024E-04，A12=-6.367530E-05，A14= 3.276315E-05
第８面
κ=0.000000，A4=2.015804E-03，A6=1.365154E-03，A8= 3.878255E-04
A10= 8.531104E-05，A12=-3.059463E-05，A14=2.439206E-06
第９面
κ= 0.000000，A4=3.398830E-04，A6=1.200685E-03，A8=2.282118E-04
A10=-9.388958E-05，A12=7.034690E-05，A14=-7.905999E-06
第１０面
κ=0.000000，A4= -3.154014E-02，A6=-1.149464E-03，A8= -1.119232E-04
A10=3.301650E-05，A12=-6.696658E-08，A14=-2.905879E-06
第１１面
κ=0.000000，A4= -1.319128E-02，A6=6.795618E-04，A8=-1.913142E-05
A10= -2.096037E-07，A12=1.691261E-08，A14=-1.985748E-10
［条件式対応値］
条件式（１）  Ｄａｂ／ＴＬ＝0.277
条件式（２）  Ｌａ／ＴＬ＝0.459
条件式（３）  ｆａ／ｆ＝0.860
条件式（４）  ｆ12／ｆａ＝0.967
条件式（５）  ψ34／ψ＝0.046
条件式（６）  ψ34／ψ5＝-0.049
条件式（７）  −ＳＡＧ／Ｙ＝0.045
条件式（８）  （Ｒｐａ＋Ｒｐｂ）／（Ｒｐａ−Ｒｐｂ）＝-0.326
条件式（９）  （Ｒｎａ＋Ｒｎｂ）／（Ｒｎａ−Ｒｎｂ）＝1.516【００９９】
このように本実施例では、条件式（１）〜（８）が満たされていることが分かる。なお、本実施例において、第２レンズＬ２および第３レンズＬ３は、正レンズおよび正レンズの像側に並んで配置された負レンズの組であるが、条件式（８）のみが満たされている。【０１００】
図１４は、第７実施例に係る撮像レンズＰＬ７の諸収差図である。そして、各収差図より、第７実施例では、諸収差が良好に補正され、Ｆナンバーが２．０と明るく、半画角が４４°に近い広画角でありながら、優れた結像性能を有していることがわかる。その結果、第７実施例の撮像レンズＰＬ７を搭載することにより、撮像装置ＣＭＲにおいても、優れた結像性能を確保することができる。【０１０１】
以上、各実施例によれば、全長が短く小型でありながら、広画角で明るく良好な結像性能を有した撮像レンズおよび、これを備えた撮像装置を実現することができる。【０１０２】
上述の各実施例において、撮像レンズＰＬの像面Ｉは、物体側に凹面を向けるように球面状に湾曲しているが、これに限られるものではなく、例えば非球面状に湾曲していてもよく、曲面状に湾曲していればよい。【０１０３】
上述の各実施例において、第１レンズＬ１、第２レンズＬ２、第３レンズＬ３、第４レンズＬ４、および第５レンズＬ５のうち少なくともいずれかのレンズ面に、密着複層型の回折光学素子が設けられてもよい。【０１０４】
上述の各実施例において、第５レンズＬ５と像面Ｉとの間に、撮像素子のカバーガラス等から構成される平行平面板が配置されるようにしてもよい。【０１０５】
上述の各実施例において、開口絞りＳは、第１レンズＬ１の近傍に配置されており、収差補正上、第１レンズＬ１における像側のレンズ面近傍に配置されることが好ましい。また、開口絞りとしての部材を設けずに、レンズの枠でその役割を代用してもよい。
【符号の説明】
【０１０６】
ＣＭＲ  撮像装置
ＳＲ  撮像素子
ＰＬ  撮像レンズ
Ｇａ  前群                              Ｇｂ  後群
Ｌ１  第１レンズ                        Ｌ２  第２レンズ
Ｌ３  第３レンズ                        Ｌ４  第４レンズ
Ｌ５  第５レンズ
Ｓ  開口絞り                            Ｉ  像面
【図１】
2016178260.tif 000003
【図２】
2016178260.tif 000004
【図３】
2016178260.tif 000005
【図４】
2016178260.tif 000006
【図５】
2016178260.tif 000007
【図６】
2016178260.tif 000008
【図７】
2016178260.tif 000009
【図８】
2016178260.tif 000010
【図９】
2016178260.tif 000011
【図１０】
2016178260.tif 000012
【図１１】
2016178260.tif 000013
【図１２】
2016178260.tif 000014
【図１３】
2016178260.tif 000015
【図１４】
2016178260.tif 000016
【図１５】
2016178260.tif 000017
【国際調査報告】
2016178260.tif 000018
2016178260.tif 000019
2016178260.tif 000020
2016178260.tif 000021